(57)【特許請求の範囲】
【請求項１】
検知対象を検知する検知部を収納するケースの開口部に、少なくとも検知部設置領域の全体を覆う第１カバーと、その第１カバーを覆う第２カバーとが備えられ、
前記ケースには、前記ケースの開口部側箇所に電源としての電池及び制御回路を有する基板が収納され、前記第１カバーは、前記電池を露出させ且つ前記基板を覆う状態で前記ケースに装着され、前記第２カバーは、前記電池を覆う状態で装着される検知器。
【請求項２】
前記ケースには、ランプ部が収納され、前記第１カバーには、前記ランプ部を覆う透明又は半透明なランプカバー部位が備えられ、前記第２カバーには、前記第１カバーの前記ランプカバー部位を外部に露出させるランプ露出部位が備えられている請求項１に記載の検知器。
【請求項３】
前記ランプ部は、間隔を隔てて複数備えられ、前記第１カバーには、前記複数のランプ部の夫々に対応して前記ランプカバー部位が間隔を隔てて複数備えられ、前記ランプカバー部位同士の間には遮光部が備えられている請求項２に記載の検知器。
【請求項４】
前記ケースと前記第１カバーとの間で支持される操作部が備えられ、前記第２カバーには、前記操作部を外部から操作自在に露出させる操作部露出部位が備えられている請求項１〜３の何れか１項に記載の検知器。
【発明の詳細な説明】
【技術分野】
【０００１】
本発明は、ケースに検知対象を検知する検知部が収納されている検知器に関する。
【背景技術】
【０００２】
上記検知器は、例えば、火災により発生する煙や温度上昇、不完全燃焼により発生するＣＯガス、都市ガス等のガス漏れにより発生する漏洩ガス等を検知対象とし、その検知対象の状況に応じた警報を行う警報器として用いられている。この検知器は、例えば、下ケースと上ケースからなるケースを備え、そのケース内に、上ケース側に位置するように検知部が配置された基板を収納し、上ケースの上方側には、上ケースの全体を覆う化粧パネルが備えられている（例えば、特許文献１参照。）。
【先行技術文献】
【特許文献】
【０００３】
【特許文献１】特開２００１−１４５７２号公報
【発明の概要】
【発明が解決しようとする課題】
【０００４】
上記特許文献１に記載の検知器では、上ケースに検知部を挿通させる挿通孔が形成され、その挿通孔を通して上ケースを上下方向に貫通する状態で検知部が備えられている。よって、検知部において上ケースを貫通する部位を覆う必要があり、化粧パネルの形状をその貫通部位を覆う形状に形成するか、又は、その貫通部位を覆うセンサガードを設けている。したがって、化粧パネルは、その形状が検知部の貫通部位を覆う形状に制限されてしまい、美観等を考慮した自由な形状にデザインできなくなる。また、新たにセンサガードを設ければ、部品点数の増大や構成の複雑化を招くことになる。
【０００５】
この実情に鑑み、本発明の主たる課題は、デザイン性の向上、部品点数の低減、及び、構成の簡素化を図りながら、ケースに収納される検知部を適切に覆うことができる検知器を提供する点にある。
【課題を解決するための手段】
【０００６】
本発明の第１特徴構成は、検知対象を検知する検知部を収納するケースの開口部に、少なくとも検知部設置領域の全体を覆う第１カバーと、その第１カバーを覆う第２カバーとが備えられ、
前記ケースには、前記ケースの開口部側箇所に電源としての電池及び制御回路を有する基板が収納され、前記第１カバーは、前記電池を露出させ且つ前記基板を覆う状態で前記ケースに装着され、前記第２カバーは、前記電池を覆う状態で装着される点にある。
【０００７】
本特徴構成によれば、第１カバーが少なくとも検知部設置領域の全体を覆うので、少なくとも検知部を第１カバーにて保護しながら、第２カバーの形状については、美観等を考慮した自由なデザインを採用することができる。また、例えば、検知部設置領域を覆うためのセンサガード等の別部材を設けなくてもよく、部品点数の低減及び構成の簡素化を図りながら、ケースに収納される検知部を適切に覆うことができる。
本特徴構成によれば、ケースの開口部側箇所に電池が収納されているので、その電池とケースにおいて開口部側とは反対側箇所との間に空間を形成することができる。そこで、例えば、ケースの内部に流入する空気の流通空間や他の機器の収納空間等としてその空間を有効に活用でき、限られたスペースを有効に活用して検知器のコンパクト化を図ることができる。第１カバーは、電池を露出させる状態でケースに装着されているので、第２カバーを取り外すだけで、他の機器を覆ったまま電池を露出させることができ、必要な際に電池の着脱作業を簡易に行うことができる。
【０００８】
本発明の第２特徴構成は、前記ケースには、ランプ部が収納され、前記第１カバーには、前記ランプ部を覆う透明又は半透明なランプカバー部位が備えられ、前記第２カバーには、前記第１カバーの前記ランプカバー部位を外部に露出させるランプ露出部位が備えられている点にある。
【０００９】
本特徴構成によれば、第１カバーは、検知部設置領域の全体だけでなく、ランプカバー部位にてランプ部を覆うことができる。よって、第１カバーにてランプ部を覆う部材を兼用することができ、構成の簡素化を図ることができる。第２カバーにはランプ露出部位が備えられているので、第２カバーを装着した状態でも、ランプ部の光を外部から視認することができる。
【００１０】
本発明の第３特徴構成は、前記ランプ部は、間隔を隔てて複数備えられ、前記第１カバーには、前記複数のランプ部の夫々に対応して前記ランプカバー部位が間隔を隔てて複数備えられ、前記ランプカバー部位同士の間には遮光部が備えられている点にある。
【００１１】
本特徴構成によれば、第１カバーには、複数のランプ部の夫々に対してランプカバー部位が備えられているので、各ランプ部を適切に覆うことができる。そして、ランプカバー部位同士の間に遮光部を備えることで、複数のランプ部の光が混ざり合うのを防止して、どのランプ部が点灯しているのかを適切に把握することができる。
【００１２】
本発明の第４特徴構成は、前記ケースと前記第１カバーとの間で支持される操作部が備えられ、前記第２カバーには、前記操作部を外部から操作自在に露出させる操作部露出部位が備えられている点にある。
【００１３】
本特徴構成によれば、第２カバーを取り外した状態では、ケースと第１カバーとの間で操作部が支持されている。これにより、第２カバーには、操作部を支持する構成を備えなくてもよく、デザインの自由度を向上できる。また、ケースに収納される機器のうち、第２カバーを取り外して露出される機器の着脱作業等を行う際に、その作業者が操作部の支持をしなくてもよく、その着脱作業等を簡易に行うことができる。そして、第２カバーを装着した場合には、操作部露出部位にて外部から操作部を適切に操作することができる。
【図面の簡単な説明】
【００１６】
【図１】検知器の全体斜視図
【図２】図１におけるＩＩ−ＩＩの断面図
【図３】図１におけるＩＩＩ−ＩＩＩの断面図
【図４】第１カバー、第２カバー及び基板を取り外した状態での検知器の正面図
【図５】第１ケース、基板及び第１カバーの分解斜視図
【図６】第１カバーを装着した第１ケース、第２カバーの分解斜視図
【図７】第１カバーの装着状態を示す斜視図
【図８】第２カバーの装着状態を示す斜視図
【図９】警報停止用操作部の支持状態を示す図
【図１０】第１カバーのランプカバー部位及び遮光部を示す断面図
【発明を実施するための形態】
【００１７】
本発明に係る検知器の実施形態を図面に基づいて説明する。
この検知器は、図１〜図４に示すように、電源部１からの電力供給により検知対象を検知する検知部２と、その検知部２を収納するケーシング３とが備えられている。ケーシング３には、その上部に壁掛け用の取付孔４が備えられた係止部５が突出する状態で備えられている。これにより、ケーシング３は、室内の壁面等にビス６等の固定具を用いて取り付けられる。
【００１８】
ここで、図中、Ｘ方向を「ケーシング３の上下方向」とし、Ｙ方向を「ケーシング３の横幅方向」とし、Ｚ方向を「ケーシング３の前後方向」として、以下、説明する。
【００１９】
ケーシング３は、その内部の中空空間を検知部２の収納箇所とする直方体状に形成され、図２〜図４に示すように、収納箇所の正面側（前面側）を覆う第１被覆部位３ａと、収納箇所の側面側を覆う第２被覆部位３ｂと、収納箇所の裏面側（後面側）を覆う第３被覆部位３ｃを有している。この実施形態では、第１被覆部位３ａ及び第３被覆部位３ｃの夫々が矩形状に形成され、第２被覆部位３ｂとして、上側面側を覆う部位と、下側面側を覆う部位と、左側面側を覆う部位と、右側面側を覆う部位との４つの第２被覆部位３ｂが備えられている。第３被覆部位３ｃは、第１被覆部位３ａよりも正面視（前面視）での面積が小さく形成され、ケーシング３は、側面視において、第１被覆部位３ａの外周部よりも第３被覆部位３ｃの外周部の方がケーシング３の内方側に位置する窄まり形状に形成されている。
【００２０】
ケーシング３は、各種の機器を収納する第１ケース７（ケースに相当する）とその第１ケース７の前方開口部の一部を覆う第１カバー８とその第１カバー８を覆う第２カバー９とから構成されている。第１ケース７は、図４に示すように正面視（前面視）で矩形状に形成され、その前方側が開口部となっており、その内部に検知部２を収納して、第３被覆部位３ｃと４つの第２被覆部位３ｂを構成している。第１カバー８と第２カバー９は、第１ケース７の前方開口部に備えられており、第２カバー９によって第１ケース７の開口部の全体を覆うことで第１被覆部位３ａを構成している。
【００２１】
検知部２は、例えば、火災により発生する煙や温度上昇、不完全燃焼により発生するＣＯガス、都市ガス等のガス漏れにより発生する漏洩ガス等を検知対象としており、このような検知対象を検知できるものであれば、各種の検知部を適用でき、その検知部２の数も適宜変更できる。この実施形態では、検知部２として、例えば、煙を検知する第１検知部２ａとＣＯガスを検知する第２検知部２ｂと漏洩ガスを検知する第３検知部２ｃの３つの検知部が備えられている。
【００２２】
検知部２は、ケーシング３の外部からケーシング３の内部に流入する空気から検知対象を検知しており、ケーシング３には、その空気をケーシング３内部に流入可能な流入部１０が備えられている。流入部１０は、４つの第２被覆部位３ｂの夫々に備えられた開口部からなり、ケーシング３の側面部の全周に亘ってケーシング３の外部からケーシング３の内部に空気を流入している。ケーシング３の第１ケース７には、図１に示すように、正面視（前面視）で四隅の夫々に前後方向（Ｚ方向）に延びる柱部７ａが備えられ、その柱部７ａ同士の間に形成された開口部を流入部１０としている。このように、ケーシング３の周方向では、ケーシング３の四隅に柱部７ａが存在するだけであり、ケーシング３の側面部の全周に亘って大きな開口面積の流入部１０を備えさせることができ、ケーシング３の内部への空気の流入を効果的に行うことができる。
【００２３】
流入部１０には、前後方向（Ｚ方向）に延びる中間柱部１２と、前後方向（Ｚ方向）に直交する方向に延びる板状の区画部１１とが備えられている。これにより、柱部７ａ同士の間の開口部が、中間柱部１２及び区画部１１によって区画され、誤って異物や使用者の手等がケーシング３の内部に挿入されるのを防止している。また、中間柱部１２を備えることで、ケーシング３の強度を補強している。
【００２４】
ケーシング３内には、図４に示すように、検知部２に加えて、電源部としての電池１と、検知部２の検知動作やその検知状況に応じた警報動作の制御、電池１からの電力供給のオンオフ制御等、各種の制御を行うための制御回路を有する基板１３（図５参照）と、音声等により警報を行うスピーカ部１４と、点灯表示等により警報を行うランプ部１５（図５参照）と、電源表示部１６とが収納されている。
【００２５】
各機器の配置位置については、図４に示すように、正面視において、電池１が左上方側に配置され、電池１の下方側に第１検知部２ａが配置され、電源表示部１６が左下端部に配置されている。スピーカ部１４が右上方側に配置され、スピーカ部１４の下方側に第２検知部２ｂが配置され、第２検知部２ｂの下方側に第３検知部２ｃが配置されている。基板１３は、図５に示すように、第１ケース７に収納された第１検知部２ａを覆う状態で取り付けられている。
【００２６】
この検知器では、上述の如く、ケーシング３の側面部の全周に亘って流入部１０を形成して、ケーシング３の側面部の全周に亘って空気をケーシング３の内部に流入しており、その流入した空気の流れを、他の機器にて阻害されることなく、検知部２（第１検知部２ａ）に対してケーシング３の側面部の全周に亘って流通させている。
【００２７】
第１検知部２ａに対する空気の流通について説明を加える。
図４に示すように、第１検知部２ａは、正面視で左下方側に配置されており、第１検知部２ａと下側面側及び左側面側の流入部１０ｂ、１０ｃとの間に他の機器が存在しない。よって、図２及び図３の矢印にて示すように、左側面側の流入部１０ｃから流入する空気、及び、下側面側の流入部１０ｂから流入する空気は、その流れが他の機器にて阻害されることなく、第１検知部２ａに流通させることができる。
【００２８】
図４に示すように、第１検知部２ａと右側面側の流入部１０ｄとの間には、第２検知部２ｂと第３検知部２ｃが配置されている。第２検知部２ｂと第３検知部２ｃは、１つの収納部に上下方向（Ｘ方向）に並ぶ状態で収納され、図３及び図４に示すように、第１ケース７の開口部側であるケーシング３の前面側に配置されている。これにより、図３の矢印に示すように、第２検知部２ｂ及び第３検知部２ｃとケーシング３の第３被覆部位３ｃとの間に空間が形成され、この空間を通して右側面側の流入部１０ｄから流入した空気を第１検知部２ａに流通させることで、その空気の流れが第２検知部２ｂ及び第３検知部２ｃにて阻害されることなく、第１検知部２ａに空気を流通させることができる。
【００２９】
図４に示すように、第１検知部２ａと上側面側の流入部１０ａとの間には、電池１が配置されている。図２に示すように、電池１は、第１ケース７の開口部側であるケーシング３の前面側に配置されている。これにより、図２の矢印にて示すように、電池１とケーシング３の第３被覆部位３ｃとの間に空間が形成され、この空間を通して上側面側の流入部１０ａから流入した空気を第１検知部２ａに流通させることで、その空気の流れを電池１にて阻害されることなく、第１検知部２ａに空気を流通させることができる。このように、電池１を第１検知部２ａよりもケーシング３の前面側に突出させて配置することで、電池１の後方側に空気の流通空間を十分に確保でき、流入部１０ｄから流入する空気を電池１に邪魔されることなく第１検知部２ａまで流通させている。
【００３０】
上述の如く、第１ケース７内に収納される各機器をケーシング３の前後方向（Ｚ方向）でずらして配置することで、第１検知部２ａに対して、他の機器にて邪魔されることなく、ケーシング３の側面部の全周に亘って空気を流通させることができる。特に、電池１はケーシング３の前後方向（Ｚ方向）での大きさがスピーカ部１４よりも大きいので、電池１をケーシング３の前面側に配置し、その電池１とケーシング３の第３被覆部位３ｃとの間に空気流通空間を確保することで、第１検知部２ａへの空気の流通を適切に行うことができ、検知器としての検知性能の向上を効果的に図ることができる。しかも、電池１を迂回して第１検知部２ａに空気を流通させる空気流通路を形成しなくてもよく、ケーシング３の前後方向（Ｚ方向）での大きさを小さくでき、ケーシング３のコンパクト化も図ることができる。
【００３１】
第１検知部２ａだけでなく、第２検知部２ｂ及び第３検知部２ｃに対しても適切に空気を流通させることができる。つまり、図４に示すように、第２検知部２ｂ及び第３検知部２ｃは、正面視で右下方側に配置されており、第２検知部２ｂ及び第３検知部２ｃと右側面側の流入部１０ｄとの間に他の機器が存在しないことから、図３の矢印にて示すように、右側面側の流入部１０ｄから流入する空気は、その流れが他の機器にて阻害されることなく、第２検知部２ｂ及び第３検知部２ｃに流通させることができる。
【００３２】
ケーシング３は、図５及び図６に示すように、第１ケース７に対して、第１カバー８、第２カバー９の順に装着することで構成されている。第１カバー８は、第１ケース７に収納された３つの検知部２ａ、２ｂ、２ｃの検知部設置領域の全体を覆う状態で装着され、第２カバー９は、第１カバー８を覆う状態で装着される。第１カバー８は、第１ケース７に収納される機器のうち、電池１のみを露出させ且つそれ以外の機器を覆う状態で装着され、第２カバー９は、電池１と第１カバー８の全体を覆う状態で装着されている。第１カバー８には、電池１と基板１３をコネクタ等により接続するための接続用開口部８ｆ（図５及び図７参照）が形成されており、第１カバー８を装着したままでも、この接続用開口部８ｆを通して電池１と基板１３とを接続できる。これにより、第２カバー９を取り外すことで、その他の機器を第１カバー８にて覆ったまま電池１を露出させることができ、必要な際に電池１の着脱作業を簡易に行うことができるとともに、その着脱作業時に基板１３等の他の機器に誤って触れてしまうことも防止できる。
【００３３】
第１カバー８の装着は、ケーシング３の後面側からのビス止めにより第１ケース７に装着しており、第２カバー９は、複数の係合部が第１ケース７に備えられた被係合部に係合することで装着されている。これにより、第１カバー８が装着された状態の第１ケース７を壁面に取り付けたまま、第１ケース第２カバー９の係合部と第１ケース７の被係合部の係合を解除することで、第２カバー９を取り外すことができ、この点からも、電池１の着脱作業の簡素化を図ることができる。
【００３４】
第１カバー８及び第２カバー９の夫々には、図５及び図６に示すように、スピーカ部１４を覆う部位にスピーカ部１４からの音声を外部に伝達するためのスピーカ用開口部８ａ、９ａが形成されている。第１カバー８は、透明又は半透明に構成され、ランプ部１５の光を透過する状態でランプ部１５を覆うランプカバー部位８ｂが備えられている。第２カバー９には、第１カバー８のランプカバー部位８ｂを外部に露出させるランプ用開口部９ｂ（ランプ部露出部位に相当する）が備えられ、ランプ部１５の表示内容を外部から視認することができる。
【００３５】
ランプ部１５は、図５に示すように、ケーシング３の横幅方向に並ぶ３つを１組として、ケーシング３の上下方向に間隔を隔てて２組備えられている。第１カバー８のランプカバー部位８ｂは、ケーシング３の上下方向に間隔を隔てて２組のランプ部１５の夫々に対応して、ケーシング３の上下方向に間隔を隔てて２つ備えられている。ランプカバー部位８ｂは、図２、図７、図８及び図１０に示すように、第１ケース７側（ケーシング３の後面側）に突出する第１突出部位８ｃと第２カバー９側（ケーシング３の前面側）に突出する第２突出部位８ｄを有している。図２では、ランプ部１５を省略している。第１突出部位８ｃは、図７及び図１０に示すように、第１ケース７側（ケーシング３の後面側）ほど幅狭となる山形形状に形成されており、図１０（ｂ）に示すように、３つのランプ部１５の夫々に対応してケーシング３の横幅方向に間隔を隔てて３つ備えられている。第２突出部位８ｄは、ケーシング３の横幅方向で３つのランプ部１５の配置箇所の全長に亘って一連に突出する山形形状に形成されている。第１突出部位８ｃをケーシング３の横幅方向に間隔を隔てているので、各ランプ部１５の光は、それに対応する第１突出部位８ｃ内を反射しながら進み、その上方側の第２突出部位８ｄを透過して外部まで到達している。これにより、各組における３つのランプ部１５の光は、ケーシング３の横幅方向に隣接するランプ部１５の光と混ざることなく、外部まで到達することになる。
【００３６】
図１０（ａ）に示すように、第１カバー８におけるランプカバー部位８ｂ同士の間には遮光部２１が備えられ、ケーシング３の上下方向において、上方側に位置する組のランプ部１５の光と下方側に位置する組のランプ部１５の光とが混ざり合うのを防止している。この遮光部２１は、第１カバー８に形成された凹入溝部８ｅと第２カバー９に形成された突起部９ｅとから構成されている。凹入溝部８ｅは、図７、図８及び図１０に示すように、ランプカバー部位８ｂ同士の間に形成され、ケーシング３の横幅方向でランプカバー部位８ｂの形成箇所の全長に亘って第１ケース側（ケーシング３の後面側）に凹入する形状に形成されている。この凹入溝部８ｅは、ランプカバー部位８ｂの第１突出部位８ｃの突出量と同じ又はそれよりも大きくなるように第１ケース側（ケーシング３の後面側）に凹入している。突起部９ｅは、図８及び図１０に示すように、第２カバー９の後面側に備えられ、第１ケース側（ケーシング３の後面側）に突出する板状に形成されている。第２カバー９は、例えば、光を遮光する色や材料を採用して構成されており、突起部９ｅも、光を遮光する機能を有している。第２カバー９を装着することで、突起部９ｅが凹入溝部８ｅ内に嵌り込んでランプカバー部位８ｂ同士の間で遮光している。
【００３７】
上述のランプ部１５は、その数や配置箇所については適宜変更が可能であり、その変更に応じて、第１カバー８のランプカバー部位８ｂの数や形状も適宜変更可能である。また、複数のランプ部１５の夫々がどのような色を点灯するかは適宜変更が可能である。この実施形態では、上方側に位置する組の３つランプ部１５は同じ色を点灯し、下方側に位置する組の３つのランプ部１５は異なる色を点灯している。この検知器には、上述のランプ部１５の他に、電源表示部１６が備えられている。第１カバー８は、透明又は半透明であるので、第２カバー９には、第１カバー８にて電源表示部１６を覆う部位を外部に露出させる電源表示用開口部９ｄが備えられ、電源表示部１６の表示内容を外部から視認することができる。
【００３８】
この検知器には、図４〜図６に示すように、スピーカ部１４及びランプ部１５により警報動作が行われた際に、その警報動作を停止させるための警報停止用操作部２０（操作部に相当する）が正面視で下方側中央部に配置されている。この警報停止用操作部２０は、その下端部にケーシング３の横幅方向（Ｙ方向）に沿う揺動軸心２０ａを有しており、その揺動軸心２０ａ周りに揺動操作自在に備えられている。図９に示すように、警報停止用操作部２０が収納された第１ケース７に第１カバー８を装着することで、第１ケース７と第１カバー８との間で警報停止用操作部２０が支持されている。警報停止用操作部２０は、その揺動軸心２０ａがケーシング３の横幅方向に延びるように備えられており、第１カバー８には、その揺動軸心２０ａの延出部分を当接して支持する当接支持部８ｆが備えられている。この当接支持部８ｆは、図７及び図９に示すように、第１カバー８を装着することで、揺動軸心２０ａの延出部分を上方側から押さえ込んで支持している。これにより、第２カバー９を取り外した状態では、警報停止用操作部２０が第１ケース７と第１カバー８にてしっかりと支持されており、電池１の着脱作業を容易に行うことができる。
【００３９】
第２カバー９には、警報停止用操作部２０を外部から操作自在に露出させる操作部用開口部９ｃ（操作部露出部位に相当する）が備えられ、第２カバー９を装着した状態で外部から警報停止用操作部２０を操作できる。
【００４０】
この検知器は、電池１からの電力供給により検知部２の検知動作を行っており、図１に示すように、電池１からの電力供給をオンとオフに切り換えるための電源切換操作体１７が備えられている。基板１３（図５参照）に備えられた制御回路は、電源切換操作体１７にてオン操作されると、電池１からの電力供給をオンして検知部２での検知動作を行い、電源切換操作体１７にてオフ操作されると、電池１からの電力供給をオフして検知部２での検知動作を停止している。
【００４１】
電源切換操作体１７は、図６に示すように、ケーシング３の第２被覆部位３ｂに配置されている。電源切換操作体１７は、ケーシング３に対して着脱自在で、且つ、ケーシング３に対する装着姿勢を第１姿勢と第２姿勢とに変更自在に構成されている。この実施形態では、ケーシング３における左側面側の第２被覆部位３ｂに装着部１８が形成され、その装着部１８に電源切換操作体１７を嵌め込むことで、電源切換操作体１７をケーシング３に装着する。装着部１８に装着された電源切換操作体１７を引っ張り出すことで、電源切換操作体１７をケーシング３から取り外す。
【００４２】
第１姿勢と第２姿勢とは、電源切換操作体１７を上下反転させてケーシング３に装着させた姿勢であり、第１姿勢では電源切換操作体１７の上面側がケーシング３の前面側となる姿勢で装着され、第２姿勢では電源切換操作体１７の下面側がケーシング３の前面側となる姿勢で装着されている。
【００４３】
電源切換操作体１７は、通常、第１姿勢にてケーシング３に装着されており、電池１からの電力供給がオンされて、検知部２の検知動作を行っている。第１姿勢にて装着された電源切換操作体１７を一旦ケーシング３から取り外し、電源切換操作体１７を上下反転させて第２姿勢に姿勢変更し、その第２姿勢にてケーシング３に装着することで、電池１からの電力供給をオフして、検知部２の検知動作を停止している。また、電池１からの電力供給をオフした場合には、スピーカ部１４及びランプ部１５が警報動作中であれば、その警報動作が停止され、電源表示部１６も消灯される。そして、第２姿勢にて装着された電源切換操作体１７を一旦ケーシング３から取り外し、電源切換操作体１７を上下反転させて第１姿勢に姿勢変更し、その第１姿勢にてケーシング３に装着することで、電池１からの電力供給をオンして、検知部２の検知動作を行っている。
【００４４】
〔別実施形態〕
（１）上記実施形態では、遮光部２１が第１カバー８の凹入溝部８ｅと第２カバー９の突起部９ｅとから構成しているが、例えば、単に、第１カバー８の後面側に第１ケース７側に突出する板状の突起部を備え、その突起部のみを遮光可能な色や材料として、その突起部を遮光部とすることもできる。
【００４５】
（２）上記実施形態において、第１ケース７、第１カバー８及び第２カバー９の形状については適宜変更が可能であり、第１カバー８にて検知部２の検知部設置領域を覆うものであればよい。
【００４６】
（３）上記実施形態において、ランプ部露出部位の構成として、開口部にて構成するものに限らず、例えば、該当箇所を透明又は半透明とすることで、ランプ部露出部位を構成することもできる。
【００４７】
（４）上記実施形態では、電源部としての電池１をケーシング３に収納しているが、例えば、外部電源にコンセント等を接続してその外部電源から電力供給を受けるものでもよい。
【符号の説明】
【００４８】
１          電源部（電池）
２          検知部
７          第１ケース（ケース）
８          第１カバー
８ｂ        ランプカバー部位
９          第２カバー
９ｂ        ランプ用開口部（ランプ部露出部位）
９ｃ        操作部用開口部（操作部露出部位）
２０        警報停止用操作部（操作部）
２１        遮光部
【図１】
0006453049.tif 000002
【図２】
0006453049.tif 000003
【図３】
0006453049.tif 000004
【図４】
0006453049.tif 000005
【図５】
0006453049.tif 000006
【図６】
0006453049.tif 000007
【図７】
0006453049.tif 000008
【図８】
0006453049.tif 000009
【図９】
0006453049.tif 000010
【図１０】
0006453049.tif 000011